(57)【要約】【課題】計器を前方側から照明する光源の近くに調光部材を配置した計器装置において、部品点数を少なくして組み付け作業性の良い計器装置を提供する。【解決手段】回転計１（計器）の前方側に配置され、回転計１の可視領域を定める開口部１１を設けた覆い部１２と、この覆い部１２の前方側に突出し窓部１３を設けた立ち上がり壁１４とを有する見返し部材１５と、窓部１３に配置される調光部材１９と、この調光部材１９に装着され窓部１３を通じて回転計１の前面側を照明する発光ダイオード２１（光源）とを備える。【選択図】図１
2006126043.tif 000002
【特許請求の範囲】
【請求項１】
計器の前方側に配置され、計器の可視領域を定める開口部を設けた覆い部と、この覆い部の前方側に突出し窓部を設けた立ち上がり壁とを有する見返し部材と、前記窓部に配置される調光部材と、この調光部材に装着され前記窓部を通じて前記計器の前面側を照明する光源とを備えたことを特徴とする計器装置。
【請求項２】
前記光源は硬質基板を介して前記調光部材に装着されており、前記硬質基板は前記調光部材に設けた弾性を有する係止片に係止されていることを特徴とする請求項１に記載の計器装置。
【請求項３】
前記係止片の背後に前記立ち上がり壁と一体のリブを設けたことを特徴とする請求項２に記載の計器装置。
【発明の詳細な説明】
【技術分野】
【０００１】
本発明は、例えば車両用の計器装置に関し、特に計器装置を構成する見返し部材に、計器を前方側から照明する光源を装着した計器装置に関するものである。
【背景技術】
【０００２】
計器を前方側から照明する光源の近くに照明光を調整するための調光部材を配置することがある。調光部材を例えば薄青色や薄黄色の光透過性とし照明光に色味を付けたい場合、透明な調光部材を配置したり、あるいは透明な調光部材に微細な凹凸加工（シボ模様）を施して、調光部材を透過した光を少しでも拡散させて照明ムラを抑えたい場合、調光部材に例えば部分的な印刷を施して照明ムラや輝度のアンバランスを抑えたい場合などである。
【０００３】
この様な計器装置として、例えば下記特許文献１が知られている。特許文献１に記載の計器照明装置（計器装置）は、計器２が内蔵されたケーシング１の前方に配置された見返し３の窓穴箇所に、上述した調光部材に相当するランプレンズ９が圧入されたランプカバー１１をネジ８を用いて固定する。そして、ランプカバー１１内に収納されたランプ７を点灯させることによって、ランプレンズ９を透過して見返し３の窓穴から出射した光で計器２が前方側から照明されるというものである。
【特許文献１】実公平４−４７６１９号公報
【発明の開示】
【発明が解決しようとする課題】
【０００４】
しかしながら、前記特許文献１の計器照明装置においては、ランプレンズ９をランプカバー１１に組み付けた後に、ランプカバー１１をネジ８を用いて見返し３に固定しなければならない。従って、ランプレンズ９とランプカバー１１が必要の上、組み付け工数も増えてコストアップとなってしまう。
【０００５】
本発明はこの様な点に鑑みなされたもので、計器を前方側から照明する光源の近くに調光部材を配置した計器装置において、部品点数を少なくして組み付け作業性の良い計器装置を提供することを目的とする。
【課題を解決するための手段】
【０００６】
本発明は前記目的を達成するため、計器の前方側に配置され、計器の可視領域を定める開口部を設けた覆い部と、この覆い部の前方側に突出し窓部を設けた立ち上がり壁とを有する見返し部材と、前記窓部に配置される調光部材と、この調光部材に装着され前記窓部を通じて前記計器の前面側を照明する光源とを備えたものである。
【０００７】
また、前記光源は硬質基板を介して前記調光部材に装着されており、前記硬質基板は前記調光部材に設けた弾性を有する係止片に係止されているものである。
【０００８】
また、前記係止片の背後に前記立ち上がり壁と一体のリブを設けたものである。
【発明の効果】
【０００９】
計器を前方側から照明する光源の近くに調光部材を配置した計器装置において、部品点数を少なくして組み付け作業性の良い計器装置を得ることができる。
【発明を実施するための最良の形態】
【００１０】
本発明を、例えば回転計および速度計を備えた車両用の計器装置を実施形態として説明する。図１は計器装置の回転計に該当する断面を示す。図２は計器装置全体の概略側面図（図１に於いてＺ方向から見た図）を示す。図３は、図２に於けるＡ−Ａ断面を示す図である。なお、速度計の説明は省略する。
【００１１】
計器装置は、計器としての回転計１を備えている。回転計１は、硬質な回路基板２と、この回路基板２の裏面側に回路基板２と導通状態で装着され、回路基板２を貫通して前方に延びる回動軸３を有する計器本体４と、回動軸３の先端側に固着された指示部５を有する指針６と、指示部５の後方に配置され指示部５の動作に対応する表示部７を設けた表示板８と、回路基板２上に実装され指針６を照明する指針照明用光源としての発光ダイオード９と、表示部７を透過照明する表示部照明用光源としての発光ダイオード１０を備えている。
【００１２】
また、表示板８の周縁前方側に配置され表示板８の可視領域を定める開口部１１を設けた覆い部１２と、この覆い部１２の前方側に突出され矩形の窓部１３を設けた立ち上がり壁１４とを有する黒色の合成樹脂からなる見返し部材１５と、表示板８と回路基板２との間に配置されたケース部材１６と、回路基板２の裏面側を覆うカバー１７と、指針６や表示板８などの前方側を被う無色透明な合成樹脂からなる透視板１８を備えている。
【００１３】
また、立ち上がり壁１４に設けられた窓部１３に配置される調光部材１９と、この調光部材１９に装着された硬質基板２０と、この硬質基板２０に実装された計器照明用光源としての発光ダイオード２１を備えている。
【００１４】
指針６は、無色透明な合成樹脂からなる指示部５と黒色の指針キャップ２２を備えている。また、指示部５の裏面には白色の箔（図示せず）がホットスタンプされている。指針６の指示部５は昼間など周囲が明るい時は白色で視認される。また、夜間など周囲が暗い時に例えば白色で発光する指針照明用の発光ダイオード９が点灯した際も、指示部５に導かれた光が白色の箔に反射して指示部５が白色で視認されるようになっている。
【００１５】
表示板８は、詳細は図示しないが、無色透明な基板２３の表面側に車両のエンジン回転数を現す目盛，数字，文字などの透過性を有する白色の表示部７と、表示部７を除いて不透過性であるメタリック調の青色の地部２４が印刷形成してある。表示板８の表示部７も指針６の指示部５と同様に、昼間時は白色で視認され、夜間時は例えば白色で発光する表示部照明用の発光ダイオード１０が点灯することによって、白色で透過照明される。
【００１６】
ケース部材１６は遮光性のある白色の合成樹脂からなり、外周壁２５と、表示板８が載置される載置部２６と、指針照明用の発光ダイオード９を囲む円筒状の筒部２７などを有している。
【００１７】
調光部材１９は無色透明な合成樹脂からなり、立ち上がり壁１４に設けられている窓部１３の外側に配置される。調光部材１９は、窓部１３に面する調光部２８と、周壁２９と、周壁２９の２箇所に形成され係止爪３０を有する係止片３１と、立ち上がり壁１４に固着される取付部３２とからなる。係止片３１は弾性を有している。
【００１８】
見返し部材１５には、調光部材１９の取付部３２が固着される取付ボス３３と、係止片３１の背後に位置するリブ３４がそれぞれ一体に設けてある。なお、本実施形態においては覆い部１２と立ち上がり壁１４とが一体となった見返し部材１５としたが別体でも良い。また、覆い部１２の表面側にはシルバーメタリック調の塗装を施したリング部材３５が固着してある。
【００１９】
発光ダイオード２１を調光部材１９に装着する方法について説明する。まず、発光ダイオード２１が実装された硬質基板２０を調光部材１９に装着する。硬質基板２０を２個の係止片３１の先端側（図３に於ける上側）に形成された傾斜面３６に載置して下方に押す。すると、係止片３１が外側に撓んで硬質基板２０が傾斜面３６に沿って下方に移動する。そして、硬質基板２０の端が周壁２９の段部３７に当接すると、傾斜面３６から外れた係止片３１が元の位置に戻って係止爪３０によって硬質基板２０が調光部材１９の周壁２９に係止される（図３の調光部材１９と硬質基板２０との位置関係を参照）。
【００２０】
次に、硬質基板２０が装着された調光部材１９の取付部３２を見返し部材１５の立ち上がり壁１４に設けた取付ボス３３にネジ３８を用いて締付固定する。調光部材１９を見返し部材１５の立ち上がり壁１４に装着した後に、図３に示す様に、立ち上がり壁１４に設けたリブ３４が係止片３１の背後（係止爪３０を設けた側とは反対側）に位置する様になっている。
【００２１】
この様に構成された計器装置において、夜間など周囲が暗い時に計器照明用光源としての例えば白色で発光する発光ダイオード２１が点灯すると、光は調光部材１９の調光部２８を透過して窓部１３を通じて回転計１の前面側を照明する。回転計１を前方側から照明することによって、表示板８の地部２４および見返し部材１５の覆い部１２に固着したリング部材３５を暗い時であってもメタリック調で視認することが可能となる。この際、調光部材１９が照明光を調整する作用を有するため、表示板８やリング部材３５などがバランス良く照明される。
【００２２】
この様に、回転計１の前方側に配置され、回転計１の可視領域を定める開口部１１を設けた覆い部１２と、この覆い部１２の前方側に突出し窓部１３を設けた立ち上がり壁１４とを有する見返し部材１５と、窓部１３に配置される調光部材１９と、この調光部材１９に装着され窓部１３を通じて回転計１の前面側を照明する発光ダイオード２１とを備えたことにより、部品点数が少なく組み付け作業性も良い計器装置を得ることができる。
【００２３】
また、発光ダイオード２１が実装された硬質基板２０を弾性を有する係止片３１によって調光部材１９に係止するようにしたことにより、別部品を用いる必要もなく、硬質基板２０の組み付け性が良い。また、係止片３１の背後に立ち上がり壁１４と一体のリブ３４を設けたことにより、別部品を用いることなく、振動などによって係止片３１が外側に撓んで硬質基板２０が調光部材１９から外れるのを防ぐことができる。
【図面の簡単な説明】
【００２４】
【図１】本発明の実施形態を示す計器装置の断面図。
【図２】同計器装置の側面図（図１に於けるＺ矢視）。
【図３】図２に於けるＡ−Ａ断面図。
【符号の説明】
【００２５】
１  回転計（計器）
１１  開口部
１２  覆い部
１３  窓部
１４  立ち上がり壁
１５  見返し部材
１９  調光部材
２０  硬質基板
２１  発光ダイオード（計器照明用光源）
３１  係止片
３４  リブ
【図１】
2006126043.tif 000003
【図２】
2006126043.tif 000004
【図３】
2006126043.tif 000005